(57)【要約】      （修正有）【課題】部品数が少なく容易に組み立て可能でありながら、同時に高い構造強度を発揮可能な、組立式デスク及びデスク組立キットを提供する。【解決手段】組立式デスクは、第一脚部１０と、第二脚部２０と、天板部３０と、を備え、第一脚部１０及び第二脚部２０が、それぞれ、第一面１０ａ、２０ａ、第二面１０ｂ、２０ｂ、及び第三面１０ｃ、２０ｃを平面視略Ｚ字型又は略逆Ｚ字型に折り曲げた形状で、連結上切込み部１１と連結下切込み部２１とを係合させていることで、平面視正方形の基台を構成しており、天板部３０が、第一側面３２ａ、第二側面３２ｂ、第三側面３２ｃ、及び第四側面３２ｄを下方に折り曲げることで蓋状の天板を構成しており、天板が基台の上部を被覆している。デスク組立キット１は、平板状に畳まれた第一脚部１０、第二脚部２０、及び天板部３０の組み合わせからなる。【選択図】図２
0003227386.tif 000002
【実用新案登録請求の範囲】
【請求項１】
水平方向に連続する第一面、第二面、及び第三面からなり、第一面及び第三面の下辺の中央にそれぞれ切欠き部を有し、第二面の上辺から高さ方向の中央まで縦に連続する連結上切込み部を有する長方形の、第一脚部と、
水平方向に連続する第一面、第二面、及び第三面からなり、第一面及び第三面の下辺の中央にそれぞれ切欠き部を有し、第二面の下辺から高さ方向の中央まで縦に連続する連結下切込み部を有する長方形の、第二脚部と、
正方形の天板面と、前記天板面の四辺から外側に延出する、第一側面、第二側面、第三側面、及び第四側面を有する、天板部と、を備え、
前記第一脚部及び前記第二脚部が、それぞれ、第一面、第二面、及び第三面を平面視略Ｚ字型又は略逆Ｚ字型に折り曲げた形状で、前記連結上切込み部と前記連結下切込み部とを係合させていることで、平面視正方形の基台を構成しており、
前記天板部が、第一側面、第二側面、第三側面、及び第四側面を下方に折り曲げることで蓋状の天板を構成しており、
前記天板が前記基台の上部を被覆していることを特徴とする、
組立式デスク。
【請求項２】
前記天板部の、第一側面、第二側面、第三側面、及び第四側面の内、対向する二側面がそれぞれ両側端に突出した接続差込み部を有し、他の二側面がそれぞれ両側端付近に接続切込み部を有し、前記各接続差込み部が、隣り合う側面の前記接続切込み部内に嵌め込まれていることを特徴とする、請求項１に記載の組立式デスク。
【請求項３】
前記第一脚部及び前記第二脚部において、前記切欠き部がそれぞれアーチ形状を呈することを特徴とする、請求項１又は２に記載の組立式デスク。
【請求項４】
前記第一脚部及び前記第二脚部において、第二面の下辺にそれぞれ単数または複数の不陸調整部を有し、前記不陸調整部がアーチ形状の切欠きであることを特徴とする、請求項１乃至３のいずれか一項に記載の組立式デスク。
【請求項５】
前記天板面の角部付近に、下方へ陥没又は貫通したカップホルダを有し、前記カップホルダの底部が前記第一脚部及び／又は前記第二脚部の第二面の上辺に支持されていることを特徴とする、請求項１乃至４のいずれか一項に記載の組立式デスク。
【請求項６】
平板状に畳まれた、請求項１乃至５のいずれか一項に記載の第一脚部、第二脚部、及び天板部の組み合わせからなることを特徴とする、
デスク組立キット。
【請求項７】
段ボールからなり、前記段ボールの中芯の延在方向を、前記第一脚部及び前記第二脚部の上下方向に配向したことを特徴とする、請求項６に記載のデスク組立キット。
【考案の詳細な説明】
【技術分野】
【０００１】
本考案は組立式デスク及びデスク組立キットに関し、特に、部品数が少なく容易に組み立て可能でありながら、同時に高い構造強度を発揮可能な、組立式デスク及びデスク組立キットに関する。
【背景技術】
【０００２】
災害に備える防災備蓄設備として、キャンプや花見等で使用するアウトドアツールとして、又はテレワークにおける簡易設備等として、段ボール製の組立式デスクが開発されている。
従来技術の組立式デスクには、板材をＸ状に組み合わせた基台の上に天板を載せたもの、複数の角ブロックを格子状に組み立てた基台の上に天板を嵌め込んだもの（特許文献１）、板材を井桁状に組み合わせた基台の上に天板を嵌め込んだもの（特許文献２）等がある。
【先行技術文献】
【特許文献】
【０００３】
【特許文献１】特開２００９−５８０１号公報
【特許文献２】実用新案登録第３１９４５０５号公報
【考案の概要】
【考案が解決しようとする課題】
【０００４】
従来技術には以下の問題点がある。
＜１＞Ｘ状の基台からなる組立式デスクは、板材同士がＸ字の交点のみで接続するため構造が不安定である。このため、天板から受ける垂直荷重が基台に歪んで伝達されることで基台が変形しやすく、製品寿命が短い。
＜２＞特許文献１、２の組立式デスクは、部品点数が多く組み立てに多大な手間と時間がかかる。また、構造上、部材に切込みが多いため破損しやすい。
【０００５】
本考案の目的は、以上のような問題点を解決できる組立式デスクを提供することにある。
【課題を解決するための手段】
【０００６】
本考案の組立式デスクは、水平方向に連続する第一面、第二面、及び第三面からなり、第一面及び第三面の下辺の中央にそれぞれ切欠き部を有し、第二面の上辺から高さ方向の中央まで縦に連続する連結上切込み部を有する長方形の、第一脚部と、水平方向に連続する第一面、第二面、及び第三面からなり、第一面及び第三面の下辺の中央にそれぞれ切欠き部を有し、第二面の下辺から高さ方向の中央まで縦に連続する連結下切込み部を有する長方形の、第二脚部と、正方形の天板面と、天板面の四辺から外側に延出する、第一側面、第二側面、第三側面、及び第四側面を有する、天板部と、を備え、第一脚部及び第二脚部が、それぞれ、第一面、第二面、及び第三面を平面視略Ｚ字型又は略逆Ｚ字型に折り曲げた形状で、連結上切込み部と連結下切込み部とを係合させていることで、平面視正方形の基台を構成しており、天板部が、第一側面、第二側面、第三側面、及び第四側面を下方に折り曲げることで蓋状の天板を構成しており、天板が基台の上部を被覆していることを特徴とする。
【０００７】
本考案の組立式デスクは、天板部の、第一側面、第二側面、第三側面、及び第四側面の内、対向する二側面がそれぞれ両側端に突出した接続差込み部を有し、他の二側面がそれぞれ両側端付近に接続切込み部を有し、各接続差込み部が、隣り合う側面の接続切込み部内に嵌め込まれていてもよい。
この構成によれば、簡易な構造でもって、天板の形状を確実に保持することができる。
【０００８】
本考案の組立式デスクは、第一脚部及び第二脚部において、切欠き部がそれぞれアーチ形状を呈していてもよい。
この構成によれば、切欠き部が角を有さないため、破損しにくい。
【０００９】
本考案の組立式デスクは、第一脚部及び第二脚部において、第二面の下辺にそれぞれ単数または複数の不陸調整部を有し、不陸調整部がアーチ形状の切欠きであってもよい。
この構成によれば、第二面の下辺と地盤の凹凸との接点を減らすことで、野外などの地盤に不陸がある場所でも、安定して使用することができる。
【００１０】
本考案の組立式デスクは、天板部の角部付近に、下方へ陥没又は貫通したカップホルダを有し、カップホルダの底部が第一脚部及び／又は第二脚部の第二面の上辺に支持されていてもよい。
この構成によれば、飲料カップの底面を第二面の上辺で支えることで、カップを安定して保持できる。
【００１１】
本考案のデスク組立キットは、平板状に畳まれた、第一脚部、第二脚部、及び天板部の組み合わせからなることを特徴とする。
【００１２】
本考案のデスク組立キットは、段ボールからなり、中芯の延在方向を、第一脚部及び第二脚部の上下方向に配向してもよい。
この構成によれば、軽量で搬送が容易であり、丈夫であり、かつ材料コストを安価に抑えることができる。
【考案の効果】
【００１３】
本考案の組立式デスク及びデスク組立キットは、上記の構成により次の効果のうち少なくとも一つを備える。
＜１＞平面視略Ｚ字型の組み合わせからなる安定した構造により、基台のねじれや歪みを防ぎ、基台が天板から受ける垂直荷重を側方に逃がさず垂直に支持することで、高い耐荷重性を発揮することができる。
＜２＞平板上の三枚の部材のみで構成した簡易な構造からなるため、組み立てが容易である。また部材の点数が少ないため、材料コストも安い。
＜３＞基台が変形しにくく、部材への切込みが少ないため、破損しにくい。このため、製品寿命が長い。
【図面の簡単な説明】
【００１４】
【図１】本考案の組立式デスクの説明図。
【図２】本考案のデスク組立キットの説明図。
【図３Ａ】本考案の組立式デスクの組み立て方法の説明図（１）。
【図３Ｂ】本考案の組立式デスクの組み立て方法の説明図（２）。
【図３Ｃ】本考案の組立式デスクの組み立て方法の説明図（３）。
【図３Ｄ】本考案の組立式デスクの組み立て方法の説明図（４）。
【図３Ｅ】本考案の組立式デスクの組み立て方法の説明図（５）。
【考案を実施するための形態】
【００１５】
以下、図面を参照しながら本考案の組立式デスク及びデスク組立キットについて詳細に説明する。
なお、本明細書等における「上」「下」「上辺」「下辺」「側面」等の用語は、完成した組立式デスクを地盤に設置した状態における各方向を意味する。
【実施例１】
【００１６】
[組立式デスク]
＜１＞全体の構成（図１）。
本考案の組立式デスクＡは、平板状のデスク組立キット１を立体的に組み立ててなる机である。
組立式デスクＡは、デスク組立キット１の第一脚部１０と第二脚部２０とを組み合わせてなる基台Ａ１の上部を、天板部３０を組み立ててなる天板Ａ２で被覆してなる。
組立式デスクＡは、高さや幅を任意に設定することで、椅子としても利用できる。
【００１７】
＜１．１＞デスク組立キット（図２）。
デスク組立キット１の、第一脚部１０、第二脚部２０、天板部３０は、それぞれ、切込み、切欠き、折り目を入れた一枚の面材からなる。このため、運搬時や保管時に、積み重ねて保管することができるため、場所を取らない。
デスク組立キット１は、切欠き部１２や不陸調整部１３などの欠損部分を切り抜かず、ミシン目や切込みを入れるだけにしておき、使用時に手で取り外してもよい。
本例ではデスク組立キット１の各部材の素材として、段ボールを採用する。
段ボールは、軽量でありながら強度があり、繰り返し折りみが可能であり、耐久性も高いため、素材として好適である。また、段ボールの中芯の延在方向を、第一脚部１０及び第二脚部２０の上下方向に配向することで、垂直荷重に対する耐荷重性を更に高めることができる。
ただし素材は段ボールに限らず、十分な強度と折り曲げ可能な性質さえ備えていれば、プラスチック製段ボール、ポリスチレンボード、厚手のボール紙等を採用してもよい。
【００１８】
＜２＞第一脚部（図２）。
第一脚部１０は、第二脚部２０と組み合わせて、基台Ａ１を構成する部材である。
第一脚部１０は、水平方向に連続する第一面１０ａ、第二面１０ｂ、第三面１０ｃからなり、全体として横長の長方形を呈する。
第一面１０ａ、第二面１０ｂ、第三面１０ｃは、折り目に沿って、相互に折り曲げ可能である。
第一脚部１０の第二面１０ｂには、上辺から高さ方向の中央まで縦に連続する連結上切込み部１１を有する。連結上切込み部１１の幅は、第二脚部２０の厚さに対応させることが望ましい。
第一脚部１０の第一面１０ａ及び第三面１０ｃそれぞれの下辺には、切欠き部１２を備える。
本例では、第一脚部１０の第二面１０ｂの下辺に、複数の不陸調整部１３を設ける。不陸調整部１３はアーチ形状の切欠きである。不陸調整部１３によって、組立式デスクＡの供用時、第二面１０ｂの下辺と地盤の凹凸との接点を減らし、組立式デスクＡのがたつきを抑えることができる。
【００１９】
＜２．１＞切欠き部。
切欠き部１２は、組立式デスクＡの供用時、使用者が足を入れるための空間である。また、不陸調整部１３と同様に、供用時のがたつき抑止機能も備える。
本例では切欠き部１２として、第一面１０ａ及び第三面１０ｃの下辺中央に設けたアーチ状の切欠きを採用する。本例では、切欠き部１２に角がないため、角に応力が集中して裂け目が入り、破損することを防ぐことができる。
ただし切欠き部１２はアーチ状に限らず、例えば先端にアールを付けた三角形状や階段状であってもよい。
【００２０】
＜３＞第二脚部（図２）。
第二脚部２０は、第一脚部１０と組み合わせて、基台Ａ１を構成する部材である。
第二脚部２０は、水平方向に連続する第一面２０ａ、第二面２０ｂ、第三面２０ｃからなり、全体として横長の長方形を呈する。
第二脚部２０の第二面２０ｂには、下辺から高さ方向の中央まで縦に連続する連結下切込み部２１を有する。
第二脚部２０のその他の構造は第一脚部１０と同様なので、ここでは説明を繰り返さない。
【００２１】
＜４＞天板部（図２）。
天板部３０は、折り曲げて天板Ａ２を構成する部材である。
天板部３０は、正方形の天板面３１と、天板面３１の四辺から外側に延出する、第一側面３２ａ、第二側面３２ｂ、第三側面３２ｃ、及び第四側面３２ｄを少なくとも有する。
本例では、対向する二側面、例えば第一側面３２ａと第三側面３２ｃが、両側端から、それぞれ第二側面３２ｂ及び第四側面３２ｄの延出方向に突出する、計４か所の接続差込み部３３ａを有し、対向する他の二側面、例えば第二側面３２ｂと第四側面３２ｄが、両側端付近に、計４か所の接続切込み部３３ｂを有する（図３Ｄ）。
また本例では、天板面３１の角部付近に、飲料カップやペットボトルなどを支持するためのカップホルダ３４を有する。
カップホルダ３４は天板面３１の表面を下方へ円形に陥没させるか、貫通させて形成する。詳細には、例えば天板面３１の角部付近に円形の貫通孔を設け、貫通孔の周りに放射状に切込みを入れて形成する。
この場合、第二面の上辺のカップホルダ３４に対応する位置に、四角形状の浅い切り込みを入れる。
カップホルダ３４を天板面３１の角部付近に設けることで、供用時、カップホルダ３４内に配置した飲料カップの底面が、第一脚部１０や第二脚部２０の第二面１０ｂ、２０ｂの上辺に支えられるため安定性が高く、飲料カップが倒れにくい。
【００２２】
＜５＞組み立て方法。
デスク組立キット１による組立式デスクＡの組み立て方法について説明する。
デスク組立キット１は、基台Ａ１の組み立てと、天板Ａ２の組み立てを個別に行い、最終的に両者を組み合わせて、組立式デスクＡを完成させる。
【００２３】
＜５．１＞基台の組み立て。
第一脚部１０と第二脚部２０とを、Ｘ字状に交差するように組み合わせる。詳細には、第一脚部１０の連結上切込み部１１と、第二脚部２０の連結下切込み部２１とが噛み合うように、第一脚部１０上に第二脚部２０を差し込む（図３Ａ）。
第一脚部１０の第一面１０ａと第三面１０ｃを、それぞれ第二面１０ｂに対して反時計回りに１３５°程度折り曲げて平面視略Ｚ字型に変形させ、第一面１０ａと第三面１０ｃの側辺を、第二脚部２０の第二面２０ｂの側辺に当接させる。この際、接する側辺同士をガムテープなどで仮留してもよい。
同様に、第二脚部２０の第一面２０ａと第三面２０ｃを、それぞれ第二面２０ｂに対して反時計回りに１３５°程度折り曲げて平面視略Ｚ字型に変形させ、第一面２０ａと第三面２０ｃの側辺を、第一脚部１０の第二面１０ｂの側辺に当接させる（図３Ｂ）。
なお、第一面１０ａ、２０ａと第三面１０ｃ、２０ｃの折り曲げ方向は一例であって、これを時計回りに折り曲げて、第一脚部１０と第二脚部２０を平面視略逆Ｚ字型に変形させてもよい。
第一脚部１０と第二脚部２０の連結と変形によって、平面視正方形の基台Ａ１が完成する（図３Ｃ）。
基台Ａ１は、第一脚部１０と第二脚部２０の両側辺、すなわち第一面１０ａ、２０ａと第三面１０ｃ、２０ｃの側辺が、第二面１０ｂ、２０ｂの側辺と線状に接してトラス構造を構成するため、ねじれや歪みが生じにくい。
このため、第一脚部１０と第二脚部２０を構成する各面が、天板Ａ２から受ける垂直荷重を逃がさず垂直に支持できることで、高い耐荷重性を発揮することができる。
【００２４】
＜５．２＞天板の組み立て。
天板部３０の第一側面３０ａから第四側面３０ｄを、天板面３１に対して下方へ９０°程度折り曲げる。詳細には、まず対向する第二側面３０ｂと第四側面３０ｄを折り曲げ、続いて第一側面３０ａと第三側面３０ｃを折り曲げる（図３Ｄ）。
第一側面３０ａの接続差込み部３３ａと、第三側面３０ｃの接続差込み部３３ａを、それぞれ、第二側面３０ｂと第四側面３０ｄの方向へ９０°程度折り曲げ、接続差込み部３３ａの先端を、第二側面３０ｂと第四側面３０ｄの、隣り合う接続切込み部３３ｂの内側に差し込む（図３Ｅ）。
これによって、第一側面３０ａから第四側面３０ｄが相互に固定され、基台Ａ１の上部を被う蓋状の天板Ａ２が完成する。
本例では、接続差込み部３３ａと接続切込み部３３ｂの組み合わせによって、隣り合う側面同士を簡易かつ確実に固定することが可能となる。
この他、隣り合う側面同士をガムテープ等の手段で留めて固定してもよい。
【符号の説明】
【００２５】
Ａ  組立式デスク
Ａ１  基台
Ａ２  天板
１  デスク組立キット
１０  第一脚部
１０ａ  第一面
１０ｂ  第二面
１０ｃ  第三面
１１  連結上切込み部
１２  切欠き部
１３  不陸調整部
２０  第二脚部
２０ａ  第一面
２０ｂ  第二面
２０ｃ  第三面
２１  連結下切込み部
２２  切欠き部
２３  不陸調整部
３０  天板部
３１  天板面
３２ａ  第一側面
３２ｂ  第二側面
３２ｃ  第三側面
３２ｄ  第四側面
３３  接続部
３３ａ  接続差込み部
３３ｂ  接続切込み部
３４  カップホルダ
【図１】
0003227386.tif 000003
【図２】
0003227386.tif 000004
【図３Ａ】
0003227386.tif 000005
【図３Ｂ】
0003227386.tif 000006
【図３Ｃ】
0003227386.tif 000007
【図３Ｄ】
0003227386.tif 000008
【図３Ｅ】
0003227386.tif 000009